(57)【要約】  端末（１００）は、複数の操作キー（１０２ａ〜１０２ｃ）を含む操作手段（１０２）を備えた第１の筐体と、表示手段（１０６）を有し、第１の筐体に対して回転可能に設けられた第２の筐体と、第１の筐体に対する前記第２の筐体の回転角度を検出する角度検出手段（２０２）と、角度検出手段（２０２）が検出した回転角度に応じて、操作手段（１０２）の各操作キー（１０２ａ〜１０２ｃ）に対する機能の割付けを変更する制御手段（２０７）とを備える。
2009044512.tif 000002
【特許請求の範囲】
【請求項１】
複数の操作キーを含む操作手段を備えた第１の筐体と、
表示手段を有し、前記第１の筐体に対して回転可能に設けられた第２の筐体と、
前記第１の筐体に対する前記第２の筐体の回転角度を検出する角度検出手段と、
前記角度検出手段が検出した回転角度に応じて、前記操作手段の各操作キーに対する機能の割付けを変更する制御手段と
を備えたことを特徴とする端末。
【請求項２】
前記複数の操作キーは、前記表示手段上に表示されるカーソルを上下左右方向にそれぞれ移動可能な複数の方向キーを含み、前記制御手段は、前記検出した回転角度に応じて前記各方向キーへ割り付ける機能を変更することを特徴とする請求項１記載の端末。
【請求項３】
前記複数の操作キーは表示反転キーを含み、前記制御手段は、前記表示反転キーが押下されたときに、前記各方向キーへ割り付けた機能を上下方向及び左右方向それぞれにおいて反転させるとともに、前記表示手段上の表示内容を上下左右反転させることを特徴とする請求項２記載の端末。
【請求項４】
前記制御手段は、前記角度検出手段が検出した回転角度が、操作者が映像表示端末に対して正対方向から操作していると判断される第１の角度の場合、前記操作手段の各操作キーに対して第１の方法で機能を割付け、前記角度検出手段が検出した回転角度が、操作者が映像表示端末に対して反対方向から操作していると判断される第２の角度の場合、前記操作手段の各操作キーに対して、第１の方法での機能割付けにおいて上下方向、左右方向における機能を入れ替えて割付けを行う、ことを特徴とする請求項１記載の端末。
【請求項５】
前記操作手段の操作キーは、前記操作手段の中心に対して点対称に配置されたことを特徴とする請求項１記載の端末。
【発明の詳細な説明】
【技術分野】
【０００１】
本発明は、操作部及び表示部を有する端末に関し、特に、操作部に対する表示部の向きを変更可能な端末に関する。
【背景技術】
【０００２】
従来、本体に対して向きを変更可能な表示部を備えた映像表示端末がある（例えば、特許文献１参照。）。図７に、そのような従来の映像表示端末の外観を示す。図７に示した映像表示端末は携帯電話端末であり、本体３０２の上部に、液晶表示装置（ＬＣＤ）３０３を有する表示部３０１が回動自在に設けられている。表示部３０１は、ヒンジ機構を介して回動自在に本体３０２に取り付けられている。本体３０２には、表示部３０１の下方にテンキー等の操作キーを含む操作部３０４が設けられている。図７に示す状態では、表示部３０３は長辺が縦方向となっており、表示部３０３は縦長の画面として利用できる。表示部３０１を本体３０２に対して回転させることにより、表示部３０３を他の向きに変更することが可能である（図７の破線Ａ、Ｂ参照）。
【特許文献１】特開２００５−２３４１３７号公報
【発明の開示】
【発明が解決しようとする課題】
【０００３】
従来の映像表示端末では、表示部の向きは自在に変更できるが、操作部の向き、すなわち、操作キーの配置、キーの名前、機能の表示等は固定されており、変更できない。つまり、操作部の向きは、表示部３０２を本体３０１に対して回転させないときに、操作者が容易に操作できるように決定されている。このため、操作者が表示部３０２を回転させ、さらに、表示部３０２の向きに合わせて本体を回転させた状態で映像表示端末を保持した場合、操作部３０４の向きは操作者の向きに合致しなくなる。このため、操作者は操作しづらくなってしまう。つまり、操作部３０４は本体３０２に固定されているため、操作者が映像表示端末に対して通常とは異なる向きから操作しようとすると、非常に操作しづらいものとなってしまう。【０００４】
本発明は上記課題に鑑みてなされたものであり、操作者が端末に対して通常とは異なる向きから操作した場合でも、操作部の操作が容易な表示部付き端末を提供することを目的とする。
【課題を解決するための手段】
【０００５】
本発明に係る端末は、複数の操作キーを含む操作手段を備えた第１の筐体と、表示手段を有し、第１の筐体に対して回転可能に設けられた第２の筐体と、第１の筐体に対する第２の筐体の回転角度を検出する角度検出手段と、角度検出手段が検出した回転角度に応じて、操作手段の各操作キーに対する機能の割付けを変更する制御手段とを備える。
【発明の効果】
【０００６】
本発明によれば、操作者が表示部のある第２の筐体の向きを回転させたときに、表示部の向きに応じて、操作キーの機能割付けを変更する。これにより、表示の方向と操作キーの向きとが常に合致し、操作者にとって容易なキー操作が実現できる。
【図面の簡単な説明】
【０００７】
【図１】本発明の実施の形態１における映像表示端末の外観図
【図２】本発明の実施の形態１における映像表示端末の構成を示すブロック図
【図３】本発明の実施の形態２の映像表示端末の外観図
【図４】本発明の実施の形態２における映像表示端末の構成を示すブロック図
【図５】上下を逆にして配置された映像表示端末の外観図
【図６】点対称に配置された操作キーの配置の例を示す図
【図７】従来の映像表示端末の外観図
【符号の説明】
【０００８】
１０１  第１の筐体
１０２  操作部
１０２ａ、１０２ｂ、１０２ｃ、１０２ｄ  方向キー（上、下、左、右キー）
１０３  表示反転キー
１０４  スロット
１０５  第２の筐体
１０６  ディスプレイ
１０７  ヒンジ部
２０２  表示部回転センサ
２０４  メディア制御部
２０５  信号処理部
２０７  制御部
【発明を実施するための最良の形態】
【０００９】
以下、本発明を実施するための最良の形態について、添付の図面を参照しながら説明する。【００１０】
（実施の形態１）
１  映像表示端末の外観
図１（ａ）は、本発明の実施の形態１における映像表示端末の外観を示す図である。図１（ａ）に示すように、映像表示端末１００は、本体をなす第１の筐体１０１と、第１の筐体１０１上に回転可能に取り付けられた第２の筐体１０５とを備えている。第１の筐体１０１は、方向キー１０２ａ、１０２ｂ、１０２ｃ及び１０２ｄを含む操作部１０２と、ＳＤカード（登録商標）等のリムーバブル記録メディア装着用のスロット１０４とを備えている。以下、筐体１０１のうち操作部１０２が設けられている面を「操作部面」と呼ぶ。【００１１】
第２の筐体１０５は、映像、テキスト、キャラクタ等を表示するディスプレイ１０６を備えている。ディスプレイ１０６は例えば液晶表示装置（ＬＣＤ）で構成できる。第２の筐体１０５は、操作部面と垂直な回転軸を中心として回転可能にヒンジ部１０７を介して第１の筐体１０１に取り付けられている。ディスプレイ１０６は、ヒンジ部１０７側が下方とするように表示内容の向きを設定して表示内容を表示する。【００１２】
以下の説明では、映像表示端末１００は、その長手方向の両端面においてスロット１０４が設けられた端面側の部分を「映像表示端末１００の本来の下部」とし、スロット１０４が設けられていない端面側の部分を「映像表示端末１００の本来の上部」とする。また、図１（ａ）に示すディスプレイ１０６の回転角度は０度であり、このディスプレイ１０６の位置を「第１の位置」と呼ぶ。【００１３】
図１（ｂ）は、映像表示端末１００のディスプレイ１０６を第１の位置から１８０度回転させ、さらに、映像表示端末１００本体の上下を逆にした状態の映像表示端末１００を示した図である。図１（ｂ）に示すディスプレイ１０６の回転角度は１８０度であり、このディスプレイ１０６の位置を「第２の位置」と呼ぶ。【００１４】
映像表示端末１００は種々の方向からの操作者の操作を容易にするものである。例えば、図１（ａ）に示すように映像表示端末１００の本来の上部を操作者から見て上側にして操作したり、図１（ｂ）に示すように映像表示端末１００の本来の上部を操作者から見て下側にして操作したりする場合に、直感的に操作キーを把握できるように、操作キーに対する機能割付を設定する。操作キーに対する機能割付の詳細は後述する。【００１５】
２  映像表示端末の構成
図２は、本発明の実施の形態１における映像表示端末１００の構成を示すブロック図である。映像表示端末１００は、リムーバブル記録メディアに対するアクセスを制御するメディア制御部２０４と、映像信号を処理してディスプレイ１０６に出力する信号処理部２０５と、映像表示端末１００全体の動作を制御する制御部２０７とを備える。制御部２０７には、操作部１０２と表示部回転センサ２０２が接続される。【００１６】
操作部１０２は、ディスプレイ１０６上に表示されるカーソルを上下左右のいずれかの方向へ移動するキーである方向キー１０２ａ、１０２ｂ、１０２ｃ、１０２ｄを含み、操作者により操作されたキーの情報を制御部２０７に送信する。表示部回転センサ２０２は、第１の筐体に対する第２の筐体の回転角度を検出する。例えば、表示部回転センサ２０２は、ディスプレイ１０６が第１の位置にあるときに０度、第２の位置にあるときに１８０度として回転角度情報を検出し、検出信号を出力する。【００１７】
メディア制御部２０４は、リムーバブル記録メディアのスロット１０４への挿抜の検出や、リムーバブル記録メディアからのデータの読出しの制御を行う。信号処理部２０５は、メディア制御部２０４から受信した映像データを映像信号に変換し、ディスプレイ１０６に出力する。ディスプレイ１０６は、信号処理部２０５からの映像信号を表示する。【００１８】
制御部２０７は、信号処理部２０５に対する映像の表示設定、及びメディア制御部２０４へのデータの読出し命令を行う。特に、制御部２０７は、表示部回転センサ２０２からの回転角度情報に基づいて操作部１０２の各キーの機能割付けの変更を行う。キーの機能割付けはソフトウェアにより実現される。【００１９】
３  操作キーの機能割付け
以下、図１（ａ）、（ｂ）それぞれの状態にある映像表示端末における操作キーに対する機能割付けについて説明する。なお、図１は、映像表示端末が水平な場所に設置された状態を示すものとし、図１（ａ）では、操作者により矢印Ａ側から映像表示端末１００が操作され、図１（ｂ）では、操作者により矢印Ｂ側から映像表示端末１００が操作されるとする。すなわち、図１（ａ）の場合、操作者は映像表示端末１００の本来の向きと正対して操作することになり、図１（ｂ）の場合、操作者は映像表示端末１００の本来の向きとは反対方向から操作することになる。【００２０】
最初に、図１（ａ）に示す状態にある映像表示端末における操作キーに対する機能割付けを説明する。【００２１】
図１（ａ）ではディスプレイ１０６が第１の位置にある。制御部２０７は、表示部回転センサ２０２から回転角度の情報（０度）を受信し、その情報に基づきディスプレイ１０６が第１の位置にあることを認識する。つまり、回転角度の情報（０度）に基づき、制御部２０７は、操作者が映像表示端末１００の本来の向きと正対して操作していると判断できる。【００２２】
ここで、操作者が矢印Ａの側から操作する点を考慮すると、操作者から見た場合、キー１０２ａが他のキーよりも上方に位置し、キー１０２ｂが右方に位置し、キー１０２ｃが下方に位置し、キー１０２ｄが左方に位置していると判断できる。よって、キー１０２ａが押下されたときにディスプレイ１０６上のカーソルが上方に移動し、キー１０２ｂが押下されたときにカーソルが右方に移動し、キー１０２ｃが押下されたときにカーソルが下方に移動し、キー１０２ｄが押下されたときにカーソルが左方に移動する必要がある。そこで、制御部２０７は、操作部１０２の方向キー１０２ａ〜１０２ｄに対して次のように機能を割り付ける。【００２３】
キー１０２ａに対して、上キー機能（そのキーが押されたときにディスプレイ１０６上のカーソルを上方に移動させる機能）を割付ける。キー１０２ｂに対して、右キー機能（そのキーが押されたときにカーソルを右方に移動させる機能）を割付ける。キー１０２ｃに対して、下キー機能（そのキーが押されたときにカーソルを下方に移動させる機能）を割付ける。キー１０２ｄに対して、左キー機能（そのキーが押されたときにカーソルを左方に移動させる機能）を割付ける。このようなディスプレイ位置が第１の位置にあるときの操作キーに対する機能の割付けを「基準割付け」という。【００２４】
このようにキーを割付けることで、操作者が矢印Ａの方向から映像表示端末１００を操作する場合に、操作部１０２の上方に位置するキー１０２ａを押すとカーソルが上に移動し、下方に位置するキー１０２ｃを押すとカーソルが下に移動するようになる。左右方向についても同様である。これにより、ディスプレイ１０６上の表示の向きと操作キー１０２ａ〜１０２ｄの機能とが合致するため、操作者による直感的な操作が可能となる。【００２５】
次に、図１（ｂ）に示す状態にある映像表示端末１００における操作キーに対する機能割付けを説明する。【００２６】
図１（ｂ）では、ディスプレイ１０６が第２の位置にある。制御部２０７は、表示部回転センサ２０２から回転角度の情報（１８０度）を受信し、その情報に基づきディスプレイ１０６が第２の位置にあることを認識する。つまり、回転角度の情報（１８０度）に基づき、制御部２０７は、操作者が映像表示端末１００の本来の向きと反対向きで操作していると判断できる。【００２７】
ここで、操作者が矢印Ｂの側から操作する点を考慮すると、操作者から見た場合、キー１０２ｃが他のキーよりも上方に位置し、キー１０２ｄが右方に位置し、キー１０２ａが下方に位置し、キー１０２ｂが左方に位置していると判断できる。よって、キー１０２ｃが押下されたときにディスプレイ１０６上のカーソルが上方に移動し、キー１０２ｄが押下されたときにカーソルが右方に移動し、キー１０２ａが押下されたときにカーソルが下方に移動し、キー１０２ｂが押下されたときにカーソルが左方に移動する必要がある。そこで、制御部２０７は、操作部１０２の方向キーに対し、基準割付けとは上下左右を入れ替えた機能割付けを行う。このような機能割付けを「反転割付け」という。具体的には以下のように行う。【００２８】
キー１０２ａに対して下キー機能を割り付ける。キー１０２ｂに対して左キー機能を割付ける。キー１０２ｃに対して上キー機能を割付ける。キー１０２ｄに対して右キー機能を割付ける。【００２９】
このように各キーに対して機能を割付けることで、映像表示端末１００の本体の上下を逆にして使用する場合であっても、ディスプレイ１０６上の表示の向きと、操作キー１０２ａ〜１０２ｄの機能とが合致するため、操作者による直感的な操作が可能となる。【００３０】
４  まとめ
以上のように、本実施の形態の映像表示端末１００は、ディスプレイ１０６の向きを表示部回転センサ２０２で検出し、その判断結果に基づいて、方向キーの機能割付けを、ディスプレイ１０６上の表示の向きに合致するよう変更する。これにより、ディスプレイ１０６の向きの変更にともないディスプレイ１０６上の表示の向きが変更された場合であっても、ディスプレイ１０６上の表示の方向と操作キーの機能とが合致するため、方向キーの誤操作を防止することができ、操作者のキー操作時の利便性を向上できる。【００３１】
（実施の形態２）
図３は本発明の実施の形態２の映像表示端末の外観を示す図である。図４は実施の形態２の映像表示端末の構成を示す図である。本実施形態の映像端末装置１００ｂは操作部１０２において表示反転キー１０３をさらに備えている。表示反転キー１０３は、ディスプレイ１０６上の表示の向きを強制的に上下反転させるものである。すなわち、表示反転キー１０３が押下される毎に、ディスプレイ１０６上の表示の向きは１８０度反転されて表示される。【００３２】
本実施形態の映像表示端末１００ｂは実施の形態１の映像端末装置１００と同様の動作を行う。すなわち、映像表示端末１００ｂにおいても、実施の形態１のものと同様に、制御部２０７は、表示部回転センサ２０２からの情報に基づいて、ディスプレイ１０６上の表示の切り替え、及び操作部１０２の機能割付けを行う。そこで、以下では、特に、映像表示端末１００ｂにおける表示反転キー１０３に関連した動作について説明する。【００３３】
図４を参照し、制御部２０７は、操作部１０２からの信号を受けて、表示反転キー１０３が押下されたことを検出すると、信号処理部２０５に対して、映像を１８０度回転（上下左右逆転）させて表示させるための制御信号を送信する。信号処理部２０５はこの制御信号を受けて、映像を１８０度回転させる処理を行った映像信号をディスプレイ１０６に送信する。これにより、ディスプレイ１０６上の映像が１８０度回転する。同時に、制御部２０７は操作部１０２の方向キー１０２ａ〜１０２ｄの機能について機能割付けを変更する。具体的には、上下に配置されたキー１０２ａ、１０２ｃ間で機能割付を入れ替え、左右に配置されたキー１０２ｂ、１０２ｄ間で機能割付を入れ替える。これにより、表示反転キー１０３によりディスプレイ１０６上の表示の向きが反転した場合であっても、表示の向きと合致したキーの割付が実現される。【００３４】
例えば、図３に示すような状態にある映像表示端末１００ｂの上下を逆にした場合、図５（ａ）に示すような状態になる。この場合、ディスプレイ１０６の位置は第１の位置のままであるため、表示の向きは切り替わらない。よって、ディスプレイ１０６に表示される表示内容は操作者から見ると上下が逆向きに表示されており、これは操作者にとって識別し難いものである。このような状況において表示反転キー１０３が有効となる。【００３５】
図５（ａ）の状態において表示反転キー１０３が押下されると、図５（ｂ）に示すように、ディスプレイ１０６における表示が１８０度回転（上下左右反転）する。同時に、方向キー１０２ａ〜１０２ｄキーに対する機能割付けも、ディスプレイ１０６上の表示の向きに合わせて変更される。すなわち、反転割付される。具体的には、キー１０２ａに対して下キー機能が、キー１０２ｂに対して左キー機能が、キー１０２ｃに対して上キー機能が、キー１０２ｄに対して右キー機能が割付けられる。【００３６】
図５（ｂ）の状態で、再度、表示反転キー１０３が押下されると、ディスプレイ１０６の表示の上下左右を反転させ、さらに、方向キー１０２ａ〜１０２ｄの機能割付を上下左右反転させ（基準割付）、図５（ａ）に示す状態に戻る。【００３７】
以上のように、表示反転キー１０３により、ディスプレイ１０６の向きに関係なく強制的に、表示の方向と方向キー１０２ａ〜１０２ｄの機能割付けを変更するため、操作者にとって好適なキー割付が実現され、キーの誤操作の防止並びに操作性及び視認性の向上を図ることができる。例えば、映像表示端末１００ｂを水平な場所に設置し、複数の操作者が映像表示端末１００ｂをはさんで向かい合って操作する場合に、表示反転キー１０３を使用して瞬時に方向キー１０２ａ〜１０２ｄの機能割付けおよび表示の切替えが可能なので、操作部１０２の利便性を大幅に向上できる。【００３８】
上記実施の形態１、２において、ディスプレイ１０６の向きに応じて機能割付けを変更するキーを方向キーとしたが、これに限られない。例えば、上下左右方向において対称に近い配置がなされていれば「０」〜「９」のテンキーも、ディスプレイ１０６の向きに応じて機能割付を変更してもよい。【００３９】
また、操作キーに割付ける機能として上下左右方向への移動機能や数字に限らない。例えば再生機能に関するキーとして、基準割付けにおいて、キー１０２ａに「一時停止」機能を、キー１０２ｂに「スキップ（早送り）」機能を、キー１０２ｃに「停止」機能を、キー１０２ｄに「スキップ（巻き戻し）」機能を割当て、反転割付けにおいては、基準割付け時と上下、左右を反転して割り付けてもよい。このように、ディスプレイ１０６の向きによって、任意の機能について基準割付けと反転割付けとを切り替えることで、操作部１０２の利便正を向上できる。【００４０】
また、方向キー１０２ａ〜１０２ｄを分離した複数のキーで構成する代わりに、十字形状キーのような一つのキーで構成してもよい。また、操作キーの代わりに、倒した方向に応じて信号が出力されるスティック型の入力手段を用いてもよい。その場合、入力手段の機能割付をディスプレイの位置に応じて変更すればよい。【００４１】
また、上記の例では、ディスプレイ１０６が１８０度回転する毎に、操作部１０２におけるキー割付けを変更する構成としたが、９０度毎にキー割付けを変更する構成としてもよい。この場合、操作部１０２におけるキーの配置を９０度回転しても同じ配置となるように、操作キーを配置するのが好ましい。【００４２】
操作部１０２におけるキーは、操作部１０２の中心に対して点対称となるように配置されているのが好ましい。図６に操作キーを点対称に配置した例を示す。点対称に操作キーを配置することで、機能割付を基準割付けと反転割付の間で切り替えたときに、操作者が直感的に操作できるキー配置が実現できる。例えば、図６の例では、ディスプレイ１０６の位置に応じて表示が反転されたときに、キー３００ａとキー３００ｄの間で機能を入れ替え、キー３００ｂとキー３００ｃの間で機能を入れ替えるようにする。方向キー１０２ａ〜１０２ｄについては前述のように機能を変更する。操作キーの対称配置により、ディスプレイ１０６の位置に関わらず、操作者がディスプレイ１０６上の表示を見ながら直感的に操作することが可能となるキー配置が実現できる。【００４３】
なお、上記の例では、ディスプレイ１０６を含む第２の筐体１０５がヒンジ部１０７を軸として２次元的に回転する例を説明したが、ヒンジ部１０７が３次元的に可動であってもよい。この場合であっても、ディスプレイ１０６と操作者との向きに合致するように、操作部１０２の操作キーの機能を割り付けるようにすればよい。
【産業上の利用可能性】
【００４４】
本発明にかかる表示部付き端末は、表示方向と操作キーの関係が常に合致しキーの誤操作を防止することができるため、ディスプレイが可動であるが操作キーの物理的位置が変更不能な携帯型の端末（携帯電話端末、映像再生装置等）に有用である。
【図１】
2009044512.tif 000003
【図２】
2009044512.tif 000004
【図３】
2009044512.tif 000005
【図４】
2009044512.tif 000006
【図５】
2009044512.tif 000007
【図６】
2009044512.tif 000008
【図７】
2009044512.tif 000009
【手続補正書】
【提出日】平成22年3月15日(2010.3.15)
【手続補正１】
【補正対象書類名】特許請求の範囲
【補正対象項目名】全文
【補正方法】変更
【補正の内容】
【特許請求の範囲】
【請求項１】
複数の操作キーを含む操作手段を備えた第１の筐体と、
表示手段を有し、前記第１の筐体に対して回転可能に設けられた第２の筐体と、
前記第１の筐体に対する前記第２の筐体の回転角度を検出する角度検出手段と、
前記角度検出手段が検出した回転角度に応じて、前記操作手段の各操作キーに対する機能の割付けを変更する制御手段と
を備えたことを特徴とする端末。
【請求項２】
前記複数の操作キーは、前記表示手段上に表示されるカーソルを上下左右方向にそれぞれ移動可能な複数の方向キーを含み、前記制御手段は、前記検出した回転角度に応じて前記各方向キーへ割り付ける機能を変更することを特徴とする請求項１記載の端末。
【請求項３】
前記複数の操作キーは表示反転キーを含み、前記制御手段は、前記表示反転キーが押下されたときに、前記各方向キーへ割り付けた機能を上下方向及び左右方向それぞれにおいて反転させるとともに、前記表示手段上の表示内容を上下左右反転させることを特徴とする請求項２記載の端末。
【請求項４】
前記制御手段は、前記角度検出手段が検出した回転角度が、操作者が端末に対して正対方向から操作していると判断される第１の角度の場合、前記操作手段の各操作キーに対して第１の方法で機能を割付け、前記角度検出手段が検出した回転角度が、操作者が端末に対して反対方向から操作していると判断される第２の角度の場合、前記操作手段の各操作キーに対して、第１の方法での機能割付けにおいて上下方向、左右方向における機能を入れ替えて割付けを行う、ことを特徴とする請求項１記載の端末。
【請求項５】
前記操作手段の操作キーは、前記操作手段の中心に対して点対称に配置されたことを特徴とする請求項１記載の端末。
【手続補正２】
【補正対象書類名】明細書
【補正対象項目名】全文
【補正方法】変更
【補正の内容】
【発明の詳細な説明】
【技術分野】
【０００１】
本発明は、操作部及び表示部を有する端末に関し、特に、操作部に対する表示部の向きを変更可能な端末に関する。
【背景技術】
【０００２】
従来、本体に対して向きを変更可能な表示部を備えた映像表示端末がある（例えば、特許文献１参照。）。図７に、そのような従来の映像表示端末の外観を示す。図７に示した映像表示端末は携帯電話端末であり、本体３０２の上部に、液晶表示装置（ＬＣＤ）３０３を有する表示部３０１が回動自在に設けられている。表示部３０１は、ヒンジ機構を介して回動自在に本体３０２に取り付けられている。本体３０２には、表示部３０１の下方にテンキー等の操作キーを含む操作部３０４が設けられている。図７に示す状態では、表示部３０３は長辺が縦方向となっており、表示部３０３は縦長の画面として利用できる。表示部３０１を本体３０２に対して回転させることにより、表示部３０３を他の向きに変更することが可能である（図７の破線Ａ、Ｂ参照）。
【先行技術文献】
【特許文献】
【０００３】
【特許文献１】特開２００５−２３４１３７号公報
【発明の概要】
【発明が解決しようとする課題】
【０００４】
従来の映像表示端末では、表示部の向きは自在に変更できるが、操作部の向き、すなわち、操作キーの配置、キーの名前、機能の表示等は固定されており、変更できない。つまり、操作部の向きは、表示部３０１を本体３０２に対して回転させないときに、操作者が容易に操作できるように決定されている。このため、操作者が表示部３０１を回転させ、さらに、表示部３０１の向きに合わせて本体を回転させた状態で映像表示端末を保持した場合、操作部３０４の向きは操作者の向きに合致しなくなる。このため、操作者は操作しづらくなってしまう。つまり、操作部３０４は本体３０２に固定されているため、操作者が映像表示端末に対して通常とは異なる向きから操作しようとすると、非常に操作しづらいものとなってしまう。
【０００５】
本発明は上記課題に鑑みてなされたものであり、操作者が端末に対して通常とは異なる向きから操作した場合でも、操作部の操作が容易な表示部付き端末を提供することを目的とする。
【課題を解決するための手段】
【０００６】
本発明に係る端末は、複数の操作キーを含む操作手段を備えた第１の筐体と、表示手段を有し、第１の筐体に対して回転可能に設けられた第２の筐体と、第１の筐体に対する第２の筐体の回転角度を検出する角度検出手段と、角度検出手段が検出した回転角度に応じて、操作手段の各操作キーに対する機能の割付けを変更する制御手段とを備える。
【発明の効果】
【０００７】
本発明によれば、操作者が表示部のある第２の筐体の向きを回転させたときに、表示部の向きに応じて、操作キーの機能割付けを変更する。これにより、表示の方向と操作キーの向きとが常に合致し、操作者にとって容易なキー操作が実現できる。
【図面の簡単な説明】
【０００８】
【図１】本発明の実施の形態１における映像表示端末の外観図
【図２】本発明の実施の形態１における映像表示端末の構成を示すブロック図
【図３】本発明の実施の形態２の映像表示端末の外観図
【図４】本発明の実施の形態２における映像表示端末の構成を示すブロック図
【図５】上下を逆にして配置された映像表示端末の外観図
【図６】点対称に配置された操作キーの配置の例を示す図
【図７】従来の映像表示端末の外観図
【発明を実施するための形態】
【０００９】
以下、本発明を実施するための最良の形態について、添付の図面を参照しながら説明する。
【００１０】
（実施の形態１）
１  映像表示端末の外観
図１（ａ）は、本発明の実施の形態１における映像表示端末の外観を示す図である。図１（ａ）に示すように、映像表示端末１００は、本体をなす第１の筐体１０１と、第１の筐体１０１上に回転可能に取り付けられた第２の筐体１０５とを備えている。第１の筐体１０１は、方向キー１０２ａ、１０２ｂ、１０２ｃ及び１０２ｄを含む操作部１０２と、ＳＤカード（登録商標）等のリムーバブル記録メディア装着用のスロット１０４とを備えている。以下、筐体１０１のうち操作部１０２が設けられている面を「操作部面」と呼ぶ。
【００１１】
第２の筐体１０５は、映像、テキスト、キャラクタ等を表示するディスプレイ１０６を備えている。ディスプレイ１０６は例えば液晶表示装置（ＬＣＤ）で構成できる。第２の筐体１０５は、操作部面と垂直な回転軸を中心として回転可能にヒンジ部１０７を介して第１の筐体１０１に取り付けられている。ディスプレイ１０６は、ヒンジ部１０７側が下方とするように表示内容の向きを設定して表示内容を表示する。
【００１２】
以下の説明では、映像表示端末１００は、その長手方向の両端面においてスロット１０４が設けられた端面側の部分を「映像表示端末１００の本来の下部」とし、スロット１０４が設けられていない端面側の部分を「映像表示端末１００の本来の上部」とする。また、図１（ａ）に示すディスプレイ１０６の回転角度は０度であり、このディスプレイ１０６の位置を「第１の位置」と呼ぶ。
【００１３】
図１（ｂ）は、映像表示端末１００のディスプレイ１０６を第１の位置から１８０度回転させ、さらに、映像表示端末１００本体の上下を逆にした状態の映像表示端末１００を示した図である。図１（ｂ）に示すディスプレイ１０６の回転角度は１８０度であり、このディスプレイ１０６の位置を「第２の位置」と呼ぶ。
【００１４】
映像表示端末１００は種々の方向からの操作者の操作を容易にするものである。例えば、図１（ａ）に示すように映像表示端末１００の本来の上部を操作者から見て上側にして操作したり、図１（ｂ）に示すように映像表示端末１００の本来の上部を操作者から見て下側にして操作したりする場合に、直感的に操作キーを把握できるように、操作キーに対する機能割付を設定する。操作キーに対する機能割付の詳細は後述する。
【００１５】
２  映像表示端末の構成
図２は、本発明の実施の形態１における映像表示端末１００の構成を示すブロック図である。映像表示端末１００は、リムーバブル記録メディアに対するアクセスを制御するメディア制御部２０４と、映像信号を処理してディスプレイ１０６に出力する信号処理部２０５と、映像表示端末１００全体の動作を制御する制御部２０７とを備える。制御部２０７には、操作部１０２と表示部回転センサ２０２が接続される。
【００１６】
操作部１０２は、ディスプレイ１０６上に表示されるカーソルを上下左右のいずれかの方向へ移動するキーである方向キー１０２ａ、１０２ｂ、１０２ｃ、１０２ｄを含み、操作者により操作されたキーの情報を制御部２０７に送信する。表示部回転センサ２０２は、第１の筐体に対する第２の筐体の回転角度を検出する。例えば、表示部回転センサ２０２は、ディスプレイ１０６が第１の位置にあるときに０度、第２の位置にあるときに１８０度として回転角度情報を検出し、検出信号を出力する。
【００１７】
メディア制御部２０４は、リムーバブル記録メディアのスロット１０４への挿抜の検出や、リムーバブル記録メディアからのデータの読出しの制御を行う。信号処理部２０５は、メディア制御部２０４から受信した映像データを映像信号に変換し、ディスプレイ１０６に出力する。ディスプレイ１０６は、信号処理部２０５からの映像信号を表示する。
【００１８】
制御部２０７は、信号処理部２０５に対する映像の表示設定、及びメディア制御部２０４へのデータの読出し命令を行う。特に、制御部２０７は、表示部回転センサ２０２からの回転角度情報に基づいて操作部１０２の各キーの機能割付けの変更を行う。キーの機能割付けはソフトウェアにより実現される。
【００１９】
３  操作キーの機能割付け
以下、図１（ａ）、（ｂ）それぞれの状態にある映像表示端末における操作キーに対する機能割付けについて説明する。なお、図１は、映像表示端末が水平な場所に設置された状態を示すものとし、図１（ａ）では、操作者により矢印Ａ側から映像表示端末１００が操作され、図１（ｂ）では、操作者により矢印Ｂ側から映像表示端末１００が操作されるとする。すなわち、図１（ａ）の場合、操作者は映像表示端末１００の本来の向きと正対して操作することになり、図１（ｂ）の場合、操作者は映像表示端末１００の本来の向きとは反対方向から操作することになる。
【００２０】
最初に、図１（ａ）に示す状態にある映像表示端末における操作キーに対する機能割付けを説明する。
【００２１】
図１（ａ）ではディスプレイ１０６が第１の位置にある。制御部２０７は、表示部回転センサ２０２から回転角度の情報（０度）を受信し、その情報に基づきディスプレイ１０６が第１の位置にあることを認識する。つまり、回転角度の情報（０度）に基づき、制御部２０７は、操作者が映像表示端末１００の本来の向きと正対して操作していると判断できる。
【００２２】
ここで、操作者が矢印Ａの側から操作する点を考慮すると、操作者から見た場合、キー１０２ａが他のキーよりも上方に位置し、キー１０２ｂが右方に位置し、キー１０２ｃが下方に位置し、キー１０２ｄが左方に位置していると判断できる。よって、キー１０２ａが押下されたときにディスプレイ１０６上のカーソルが上方に移動し、キー１０２ｂが押下されたときにカーソルが右方に移動し、キー１０２ｃが押下されたときにカーソルが下方に移動し、キー１０２ｄが押下されたときにカーソルが左方に移動する必要がある。そこで、制御部２０７は、操作部１０２の方向キー１０２ａ〜１０２ｄに対して次のように機能を割り付ける。
【００２３】
キー１０２ａに対して、上キー機能（そのキーが押されたときにディスプレイ１０６上のカーソルを上方に移動させる機能）を割付ける。キー１０２ｂに対して、右キー機能（そのキーが押されたときにカーソルを右方に移動させる機能）を割付ける。キー１０２ｃに対して、下キー機能（そのキーが押されたときにカーソルを下方に移動させる機能）を割付ける。キー１０２ｄに対して、左キー機能（そのキーが押されたときにカーソルを左方に移動させる機能）を割付ける。このようなディスプレイ位置が第１の位置にあるときの操作キーに対する機能の割付けを「基準割付け」という。
【００２４】
このようにキーを割付けることで、操作者が矢印Ａの方向から映像表示端末１００を操作する場合に、操作部１０２の上方に位置するキー１０２ａを押すとカーソルが上に移動し、下方に位置するキー１０２ｃを押すとカーソルが下に移動するようになる。左右方向についても同様である。これにより、ディスプレイ１０６上の表示の向きと操作キー１０２ａ〜１０２ｄの機能とが合致するため、操作者による直感的な操作が可能となる。
【００２５】
次に、図１（ｂ）に示す状態にある映像表示端末１００における操作キーに対する機能割付けを説明する。
【００２６】
図１（ｂ）では、ディスプレイ１０６が第２の位置にある。制御部２０７は、表示部回転センサ２０２から回転角度の情報（１８０度）を受信し、その情報に基づきディスプレイ１０６が第２の位置にあることを認識する。つまり、回転角度の情報（１８０度）に基づき、制御部２０７は、操作者が映像表示端末１００の本来の向きと反対向きで操作していると判断できる。
【００２７】
ここで、操作者が矢印Ｂの側から操作する点を考慮すると、操作者から見た場合、キー１０２ｃが他のキーよりも上方に位置し、キー１０２ｄが右方に位置し、キー１０２ａが下方に位置し、キー１０２ｂが左方に位置していると判断できる。よって、キー１０２ｃが押下されたときにディスプレイ１０６上のカーソルが上方に移動し、キー１０２ｄが押下されたときにカーソルが右方に移動し、キー１０２ａが押下されたときにカーソルが下方に移動し、キー１０２ｂが押下されたときにカーソルが左方に移動する必要がある。そこで、制御部２０７は、操作部１０２の方向キーに対し、基準割付けとは上下左右を入れ替えた機能割付けを行う。このような機能割付けを「反転割付け」という。具体的には以下のように行う。
【００２８】
キー１０２ａに対して下キー機能を割り付ける。キー１０２ｂに対して左キー機能を割付ける。キー１０２ｃに対して上キー機能を割付ける。キー１０２ｄに対して右キー機能を割付ける。
【００２９】
このように各キーに対して機能を割付けることで、映像表示端末１００の本体の上下を逆にして使用する場合であっても、ディスプレイ１０６上の表示の向きと、操作キー１０２ａ〜１０２ｄの機能とが合致するため、操作者による直感的な操作が可能となる。
【００３０】
４  まとめ
以上のように、本実施の形態の映像表示端末１００は、ディスプレイ１０６の向きを表示部回転センサ２０２で検出し、その判断結果に基づいて、方向キーの機能割付けを、ディスプレイ１０６上の表示の向きに合致するよう変更する。これにより、ディスプレイ１０６の向きの変更にともないディスプレイ１０６上の表示の向きが変更された場合であっても、ディスプレイ１０６上の表示の方向と操作キーの機能とが合致するため、方向キーの誤操作を防止することができ、操作者のキー操作時の利便性を向上できる。
【００３１】
（実施の形態２）
図３は本発明の実施の形態２の映像表示端末の外観を示す図である。図４は実施の形態２の映像表示端末の構成を示す図である。本実施形態の映像端末装置１００ｂは操作部１０２において表示反転キー１０３をさらに備えている。表示反転キー１０３は、ディスプレイ１０６上の表示の向きを強制的に上下反転させるものである。すなわち、表示反転キー１０３が押下される毎に、ディスプレイ１０６上の表示の向きは１８０度反転されて表示される。
【００３２】
本実施形態の映像表示端末１００ｂは実施の形態１の映像端末装置１００と同様の動作を行う。すなわち、映像表示端末１００ｂにおいても、実施の形態１のものと同様に、制御部２０７は、表示部回転センサ２０２からの情報に基づいて、ディスプレイ１０６上の表示の切り替え、及び操作部１０２の機能割付けを行う。そこで、以下では、特に、映像表示端末１００ｂにおける表示反転キー１０３に関連した動作について説明する。
【００３３】
図４を参照し、制御部２０７は、操作部１０２からの信号を受けて、表示反転キー１０３が押下されたことを検出すると、信号処理部２０５に対して、映像を１８０度回転（上下左右逆転）させて表示させるための制御信号を送信する。信号処理部２０５はこの制御信号を受けて、映像を１８０度回転させる処理を行った映像信号をディスプレイ１０６に送信する。これにより、ディスプレイ１０６上の映像が１８０度回転する。同時に、制御部２０７は操作部１０２の方向キー１０２ａ〜１０２ｄの機能について機能割付けを変更する。具体的には、上下に配置されたキー１０２ａ、１０２ｃ間で機能割付を入れ替え、左右に配置されたキー１０２ｂ、１０２ｄ間で機能割付を入れ替える。これにより、表示反転キー１０３によりディスプレイ１０６上の表示の向きが反転した場合であっても、表示の向きと合致したキーの割付が実現される。
【００３４】
例えば、図３に示すような状態にある映像表示端末１００ｂの上下を逆にした場合、図５（ａ）に示すような状態になる。この場合、ディスプレイ１０６の位置は第１の位置のままであるため、表示の向きは切り替わらない。よって、ディスプレイ１０６に表示される表示内容は操作者から見ると上下が逆向きに表示されており、これは操作者にとって識別し難いものである。このような状況において表示反転キー１０３が有効となる。
【００３５】
図５（ａ）の状態において表示反転キー１０３が押下されると、図５（ｂ）に示すように、ディスプレイ１０６における表示が１８０度回転（上下左右反転）する。同時に、方向キー１０２ａ〜１０２ｄキーに対する機能割付けも、ディスプレイ１０６上の表示の向きに合わせて変更される。すなわち、反転割付される。具体的には、キー１０２ａに対して下キー機能が、キー１０２ｂに対して左キー機能が、キー１０２ｃに対して上キー機能が、キー１０２ｄに対して右キー機能が割付けられる。
【００３６】
図５（ｂ）の状態で、再度、表示反転キー１０３が押下されると、ディスプレイ１０６の表示の上下左右を反転させ、さらに、方向キー１０２ａ〜１０２ｄの機能割付を上下左右反転させ（基準割付）、図５（ａ）に示す状態に戻る。
【００３７】
以上のように、表示反転キー１０３により、ディスプレイ１０６の向きに関係なく強制的に、表示の方向と方向キー１０２ａ〜１０２ｄの機能割付けを変更するため、操作者にとって好適なキー割付が実現され、キーの誤操作の防止並びに操作性及び視認性の向上を図ることができる。例えば、映像表示端末１００ｂを水平な場所に設置し、複数の操作者が映像表示端末１００ｂをはさんで向かい合って操作する場合に、表示反転キー１０３を使用して瞬時に方向キー１０２ａ〜１０２ｄの機能割付けおよび表示の切替えが可能なので、操作部１０２の利便性を大幅に向上できる。
【００３８】
上記実施の形態１、２において、ディスプレイ１０６の向きに応じて機能割付けを変更するキーを方向キーとしたが、これに限られない。例えば、上下左右方向において対称に近い配置がなされていれば「０」〜「９」のテンキーも、ディスプレイ１０６の向きに応じて機能割付を変更してもよい。
【００３９】
また、操作キーに割付ける機能として上下左右方向への移動機能や数字に限らない。例えば再生機能に関するキーとして、基準割付けにおいて、キー１０２ａに「一時停止」機能を、キー１０２ｂに「スキップ（早送り）」機能を、キー１０２ｃに「停止」機能を、キー１０２ｄに「スキップ（巻き戻し）」機能を割当て、反転割付けにおいては、基準割付け時と上下、左右を反転して割り付けてもよい。このように、ディスプレイ１０６の向きによって、任意の機能について基準割付けと反転割付けとを切り替えることで、操作部１０２の利便正を向上できる。
【００４０】
また、方向キー１０２ａ〜１０２ｄを分離した複数のキーで構成する代わりに、十字形状キーのような一つのキーで構成してもよい。また、操作キーの代わりに、倒した方向に応じて信号が出力されるスティック型の入力手段を用いてもよい。その場合、入力手段の機能割付をディスプレイの位置に応じて変更すればよい。
【００４１】
また、上記の例では、ディスプレイ１０６が１８０度回転する毎に、操作部１０２におけるキー割付けを変更する構成としたが、９０度毎にキー割付けを変更する構成としてもよい。この場合、操作部１０２におけるキーの配置を９０度回転しても同じ配置となるように、操作キーを配置するのが好ましい。
【００４２】
操作部１０２におけるキーは、操作部１０２の中心に対して点対称となるように配置されているのが好ましい。図６に操作キーを点対称に配置した例を示す。点対称に操作キーを配置することで、機能割付を基準割付けと反転割付の間で切り替えたときに、操作者が直感的に操作できるキー配置が実現できる。例えば、図６の例では、ディスプレイ１０６の位置に応じて表示が反転されたときに、キー３００ａとキー３００ｄの間で機能を入れ替え、キー３００ｂとキー３００ｃの間で機能を入れ替えるようにする。方向キー１０２ａ〜１０２ｄについては前述のように機能を変更する。操作キーの対称配置により、ディスプレイ１０６の位置に関わらず、操作者がディスプレイ１０６上の表示を見ながら直感的に操作することが可能となるキー配置が実現できる。
【００４３】
なお、上記の例では、ディスプレイ１０６を含む第２の筐体１０５がヒンジ部１０７を軸として２次元的に回転する例を説明したが、ヒンジ部１０７が３次元的に可動であってもよい。この場合であっても、ディスプレイ１０６と操作者との向きに合致するように、操作部１０２の操作キーの機能を割り付けるようにすればよい。
【産業上の利用可能性】
【００４４】
本発明にかかる表示部付き端末は、表示方向と操作キーの関係が常に合致しキーの誤操作を防止することができるため、ディスプレイが可動であるが操作キーの物理的位置が変更不能な携帯型の端末（携帯電話端末、映像再生装置等）に有用である。
【符号の説明】
【００４５】
１０１  第１の筐体
１０２  操作部
１０２ａ、１０２ｂ、１０２ｃ、１０２ｄ  方向キー（上、下、左、右キー）
１０３  表示反転キー
１０４  スロット
１０５  第２の筐体
１０６  ディスプレイ
１０７  ヒンジ部
２０２  表示部回転センサ
２０４  メディア制御部
２０５  信号処理部
２０７  制御部
【手続補正３】
【補正対象書類名】図面
【補正対象項目名】全図
【補正方法】変更
【補正の内容】
【図１】
2009044512.tif 000010
【図２】
2009044512.tif 000011
【図３】
2009044512.tif 000012
【図４】
2009044512.tif 000013
【図５】
2009044512.tif 000014
【図６】
2009044512.tif 000015
【図７】
2009044512.tif 000016
【国際調査報告】
2009044512.tif 000017
2009044512.tif 000018